(57)【特許請求の範囲】
【請求項１】
基材とシーラント層を少なくとも有する１枚の積層体を、シーラント層を内側にして折り曲げて、折り曲げ部と本体表面積層体と本体裏面積層体を形成し、周縁をシールしてなる詰替え容器であって、
前記折り曲げ部は、注出ノズルシール部および抜き加工部シール部と共に、内容物を注ぎ出すための注出ノズルを形成しており、該注出ノズルの先端は注出ノズル先端シール部によってシールされており、開封予定線に沿って切り離すことにより注出口を形成するものであり、該注出ノズルを形成する前記積層体には、外側に凸の、帯状または筋状の凸エンボスが設けられており、該凸エンボスは、前記開封予定線の長さをＡとしたとき、開封予定線上の前記注出ノズルシール部から３分の２Ａの範囲にエンボスの中心が存在し、開封予定線から前記抜き加工部シール部の延長線上までは少なくとも連続して存在しており、前記凸エンボスと前記注出ノズルシール部の間に、外側に凹の、帯状または筋状の凹エンボスが設けられており、該凹エンボスは、前記開封予定線上の注出ノズルシール部から３ｍｍ以内の範囲にエンボスの中心が存在し、開封予定線から前記抜き加工部シール部の延長線上までは少なくとも連続して存在しており、その角度は前記注出ノズルシール部に平行な角度から、前記折り曲げ部の稜線に垂直な角度までの範囲内である
ことを特徴とする詰替え容器。
【請求項２】
基材とシーラント層を少なくとも有する１枚の積層体を、シーラント層を外側にして折り曲げて底テープとし、前記本体表面積層体と本体裏面積層体の間に挿入して周縁をシールしてなるスタンディングパウチ形状としたことを特徴とする請求項１に記載の詰替え容器。
【請求項３】
前記折り曲げ部の稜線と前記凸エンボスの中心線のなす角度は、０°以上６０°以下であることを特徴とする請求項１または２に記載の詰替え容器。
【請求項４】
前記開封予定線上に、レーザーによる易カット加工が施されていることを特徴とする請求項１〜３のいずれか１項に記載の詰替え容器。
【請求項５】
前記注出ノズルを形成する注出口シール部の抜き加工部と反対の側に、該抜き加工部に納まる形状の把手を設けたことを特徴とする請求項１〜４のいずれか１項に記載の詰替え容器。
【請求項６】
前記折り曲げ部の一部を切り開き、内容物充填用開口部としたことを特徴とする請求項１〜５のいずれか１項に記載の詰替え容器。
【発明の詳細な説明】
【技術分野】
【０００１】
本発明は、液体洗剤、柔軟剤などのトイレタリー用品や、食用油、インスタントコーヒーなどの食品等を収納する詰め替え容器に関する。
【背景技術】
【０００２】
液体洗剤や柔軟仕上げ剤などのトイレタリー用品や、食用油、インスタントコーヒーなどの食品は、それぞれ使いやすいような形状の専用容器に収納されている。専用容器は、構造もしっかりしており、従って高価であることから、内容物が無くなった段階で、繰り返し使用することができるように、内容物のみを詰替える詰替え容器入りの製品が別途販売されていることが多い。
【０００３】
例えば液体洗剤の容器は、洗剤を使用する時にその都度適切な量を計量して取り出す必要があるため、軽量カップに注ぎやすいように、注出口にノズルを備えた剛性のあるプラスチック容器が、繰り返し使用容器として用いられている。この容器に対して、内容物を補充するための詰め替え用の容器としては、軟包装フィルムからなる柔軟な容器に、注出口を形成した容器や、口栓を取付けた容器が一般的に使用されている。
【０００４】
繰り返し使用する剛性の容器は、もっぱら注出し易いように設計されているため、繰り返し使用する容器に対して、詰替え容器から内容物を補充する詰替え操作の利便性を考慮したものでは、必ずしもなかった。
【０００５】
また一方、詰替え容器も、もっぱら安価に製造することに重点を置くあまり、必ずしも詰替え操作の利便性を考慮したものではなかった。
【０００６】
繰り返し使用する容器に設けられたノズルを利用して、詰替え容器の開封を行うことができ、さらに詰替え中に、詰替え容器が自立するために、手で保持しなくてもよい詰替え容器が提案されている。この手放し詰め替え容器は、繰り返し使用する容器の開口部に着脱可能かつ脱落不能に連結される結合部材と、詰め替え容器本体を密封する容器密封部材とを備えた詰め替え容器である（特許文献１参照）。
【０００７】
特許文献１に記載された詰め替え容器は、繰り返し使用する容器と詰め替え容器を結合するために、口栓部に、結合部材と容器密封部材という２つの部材を用いているため、容器のコストが高いものとならざるを得ない。また詰め替え容器を、繰り返し使用する容器の開口部にねじ込んで使用する構造であるため、両者の結合は確実であるが、反面、操作が面倒であるばかりでなく、口栓のコスト面においても不利であるという欠点があった。
【０００８】
コストの面からは、図１０に示したような表裏２枚の包装フィルムの周縁をシールしてなる包装袋が有利である。この詰替え用包装袋は、容器の口径に見合った任意の巾の注出口を設けることができるが、表裏２枚のフィルムの端縁部をシールして注出口部を形成した場合、内容物を注出する際、開口部がシールされた両端に引張られ、表裏のフィルムが疑似密着状態となり、注出口が閉塞してしまうという問題や、注出口が折れ曲がり易く、詰替え操作中に注出口が繰り返し使用する容器から外れてしまうといった問題がある。
【０００９】
この注出口が閉塞したり、折れ曲がったりする問題を解決するために、注出口部にフィルムとは別部材のパーツを挿入したり（特許文献２参照）、注出口部付近のフィルムを膨らませて立体形状とすることで、開口面積を確保したりするものが多く提案されている（特許文献３参照）。
【００１０】
しかしこれらの包装袋は、別部材を取り付ける工程や、フィルムに深いエンボス加工を施す工程などが増加するという問題の他、充填時に包装袋の供給部において包装袋を整然と積み上げて揃えることができないという問題や、表裏２枚のフィルムをシールしてなる開口部は、両端にシール部が存在するため、その分だけ開口巾が狭くなり、十分な開口面積を確保することができないという基本的な問題があった。十分な開口面積が確保できないと、詰替え時の注出に要する時間は長くなってしまう。
【００１１】
この問題を解決するために、包装袋を構成するフィルムを折り曲げて、注出口の片側を形成し、注出口のシール部を片側だけとする包装袋が提案されている（特許文献４、５参照）。
【先行技術文献】
【特許文献】
【００１２】
【特許文献１】特開2004-99082号公報
【特許文献２】特開平5-132069号公報
【特許文献３】特許第4110940号
【特許文献４】特開平11-236053号公報
【特許文献５】特開2008-18991号公報
【発明の概要】
【発明が解決しようとする課題】
【００１３】
特許文献４、５に示されたような、注出口の片側が折り曲げられたフィルムで構成されている包装袋の場合、注出口が閉塞する問題や、注出口部の開口面積が不足するという問題はある程度解消されるが、注出に要する時間や、注ぎ勝手においては、まだ十分とは言えなかった。
【００１４】
本発明の解決しようとする課題は、口栓等の別部材を使用することなく、注出口の形成が容易かつ確実にでき、詰め替え操作が容易かつ迅速で確実にできる詰替え容器を提案するものである。
【課題を解決するための手段】
【００１５】
上記の課題を解決するための手段として、請求項１に記載の発明は、基材とシーラント層を少なくとも有する１枚の積層体を、シーラント層を内側にして折り曲げて、折り曲げ部と本体表面積層体と本体裏面積層体を形成し、周縁をシールしてなる詰替え容器であって、前記折り曲げ部は、注出ノズルシール部および抜き加工部シール部と共に、内容物を注ぎ出すための注出ノズルを形成しており、該注出ノズルの先端は注出ノズル先端シール部によってシールされており、開封予定線に沿って切り離すことにより注出口を形成するものであり、該注出ノズルを形成する前記積層体には、外側に凸の、帯状または筋状の凸エンボスが設けられており、該凸エンボスは、前記開封予定線の長さをＡとしたとき、開封予定線上の前記注出ノズルシール部から３分の２Ａの範囲にエンボスの中心が存在し、開封予定線から前記抜き加工部シール部の延長線上までは少なくとも連続して存在しており、前記凸エンボスと前記注出ノズルシール部の間に、外側に凹の、帯状または筋状の凹エンボスが設けられており、該凹エンボスは、前記開封予定線上の注出ノズルシール部から３ｍｍ以内の範囲にエンボスの中心が存在し、開封予定線から前記抜き加工部シール部の延長線上までは少なくとも連続して存在しており、その角度は前記注出ノズルシール部に平行な角度から、前記折り曲げ部の稜線に垂直な角度までの範囲内であることを特徴とする詰替え容器である。
【００１６】
また、請求項２に記載の発明は、基材とシーラント層を少なくとも有する１枚の積層体を、シーラント層を外側にして折り曲げて底テープとし、前記本体表面積層体と本体裏面積層体の間に挿入して周縁をシールしてなるスタンディングパウチ形状としたことを特徴とする請求項１に記載の詰替え容器である。
【００１７】
また、請求項３に記載の発明は、前記折り曲げ部の稜線と前記凸エンボスの中心線のな
す角度が、０°以上６０°以下であることを特徴とする請求項１または２に記載の詰替え容器である。
【００１９】
また、請求項４に記載の発明は、前記開封予定線上に、レーザーによる易カット加工が施されていることを特徴とする請求項１〜３のいずれか１項に記載の詰替え容器である。
【００２０】
また、請求項５に記載の発明は、前記注出ノズルを形成する注出口シール部の抜き加工部と反対の側に、該抜き加工部に納まる形状の把手を設けたことを特徴とする請求項１〜４のいずれか１項に記載の詰替え容器である。
【００２１】
また、請求項６に記載の発明は、前記折り曲げ部の一部を切り開き、内容物充填用開口部としたことを特徴とする請求項１〜５のいずれか１項に記載の詰替え容器である。
【発明の効果】
【００２２】
本発明に係る詰替え容器は、基材とシーラント層を少なくとも有する１枚の積層体を、シーラント層を内側にして折り曲げて、折り曲げ部と本体表面積層体と本体裏面積層体を形成し、周縁をシールしてなる詰替え容器であるから、プラスチックボトルや、プラスチック製の口栓を使用した容器などと異なり、軟包装用積層体のみから製造することができるため、安価に製造することができる。
【００２３】
また、本発明に係る詰替え容器は、１枚の積層体を、シーラント層を内側にして折り曲げて、折り曲げ部を形成し、該折り曲げ部は、注出ノズルシール部および抜き加工部シール部と共に、内容物を注ぎ出すための注出ノズルを形成したので、大面積の直線状の流出路を安定して確保することが可能となり、その結果円滑かつ迅速な詰め替え操作が可能となった。また、注出口の形成も容易かつ確実にできる。
【００２４】
また、本発明に係る詰替え容器は、注出ノズルを形成する積層体に、外側に凸の、帯状または筋状の凸エンボスを特定の位置に設けたことにより、注出口および流出路の断面積を大きく確保することが可能となると同時に、注出ノズルが折れ曲がったり、繰り返し使用する容器から外れたりすることがなくなり、詰め替え操作が容易かつ迅速で確実にできるようになった。
【００２５】
この時、折り曲げ部の稜線と前記凸エンボスの中心線のなす角度が、０°以上６０°以下である場合には、この特徴がさらに十分に発揮されるものとなる。
【００２６】
また、基材とシーラント層を少なくとも有する１枚の積層体を、シーラント層を外側にして折り曲げて底テープとし、本体表面積層体と本体裏面積層体の間に挿入して周縁をシールしてなるスタンディングパウチ形状とした場合には、自立性を有する大容量の詰替え容器とすることが可能となり、本発明の特徴を十分に生かせるものとなる。
【００２７】
また、前記凸エンボスと前記注出ノズルシール部の間に、外側に凹の、帯状または筋状の凹エンボスを、特定の角度をもって特定の位置に設けた場合においては、注出口および
流出路の断面積をさらに大きく確保することが可能となると同時に、注出ノズルが折れ曲がったり、繰り返し使用する容器から外れたりすることがなくなり、詰め替え操作が容易かつ迅速で確実にできるという本発明の特徴がさらに安定したものとなる。
【００２８】
前記開封予定線上に、レーザーによる易カット加工が施されている場合には、開封予定線に沿った正確な開封が容易に可能となる。
【００２９】
また前記注出ノズルを形成する注出口シール部の抜き加工部と反対の側に、該抜き加工部に納まる形状の把手を設けた場合には、この把手を持って詰替え操作を行うことができるので、より安全にまた容易に詰替え操作を行うことができる。また把手は抜き加工部に納まる形状であるから、連続したフィルムから打ち抜いて製造する場合に、フィルムの無駄が生じない。
【００３０】
また、前記折り曲げ部の一部を切り開き、内容物充填用開口部とした場合には、他のシール部分を充填用開口部とすることができないような形状の容器であっても、安定した充填操作が可能となる。
【００３１】
本発明に係る詰替え容器は、ノズルキャップを有する繰り返し使用する容器のノズルを前記注出ノズルに挿入可能とした場合、水平に保持した注出ノズルに前記繰り返し使用する容器のノズルを挿入した後に、注出ノズルが垂直になるように容器を傾けることにより、迅速な詰め替えを可能とした詰替え容器となり、本発明の効果が最大限に発揮される。すなわち、本発明に係る詰替え容器は、１枚の積層体を折り曲げた折り曲げ部の存在によって、注出口が自然に開くので、目的とする容器のノズルを挿入し易く、またノズルに合わせて注出口の寸法を設計することにより、ノズルにぴったり合った注出口とすることができる。このため、水平に保持した注出ノズルに繰り返し使用する容器のノズルを挿入した後に、注出ノズルが垂直になるように傾けることにより、迅速な詰替え操作が可能となる。
【図面の簡単な説明】
【００３２】
【図１】図１は、本発明に係る詰替え容器の一実施態様を示した模式図である。
【図２】図２（１）は、図１のＸ−Ｘ’断面を示した断面模式図である。また（２）は、詰替え容器を構成する積層体の層構成を示した断面模式図である。
【図３】図３は、本発明に係る詰替え容器の注出ノズル部の拡大図であり、凸エンボスの説明図である。
【図４】図４は、本発明に係る詰替え容器の注出ノズル部の拡大図であり、凹エンボスの説明図である。
【図５】図５は、本発明に係る詰替え容器の注出ノズル部の拡大図であり、凸エンボスと凹エンボスの他の実施態様を示した例である。
【図６】図６（１）〜（４）は、本発明に係る詰替え容器の注出ノズル部の実施態様の例を示した断面拡大図である。
【図７】図７は、本発明に係る詰替え容器の他の実施態様を示した模式図である。
【図８】図８（１）は、図７のＹ−Ｙ’断面を示した断面模式図である。また（２）は、容器本体を開いた状態を示した断面模式図である。
【図９】図９は、本発明に係る詰替え容器の他の実施態様を示した模式図である。
【図１０】図１０は、従来の詰替え容器の一例を示した模式図である。
【図１１】図１１〜１３は、本発明に係る詰替え容器を用いた一連の詰替え操作を示した模式図であり、図１１は、詰替え容器を開封し、繰返し使用する容器本体のノズルを詰替え容器の注出口に挿入しようとする状態を示した模式図である。
【図１２】図１２は、容器本体のノズルが詰替え容器の注出口に完全に挿入された状態を示した模式図である。
【図１３】図１３は、容器本体と詰替え容器全体を引き起こし、一気に詰替える状態を示した模式図である。
【図１４】図１４は、注出ノズルにおけるエンボスの有無により、注ぎ時間と注出量の関係がどのようになるかを示したグラフである。
【発明を実施するための形態】
【００３３】
以下本発明に係る詰替え容器について、図面を参照しながら詳細に説明する。
図１は、本発明に係る詰替え容器の一実施態様を示した模式図である。また図２（１）は、図１のＸ−Ｘ’断面を示した断面模式図である。また（２）は、詰替え容器を構成する積層体の層構成を示した断面模式図である。また図３は、本発明に係る詰替え容器の注出ノズル部の拡大図であり、凸エンボスの説明図である。
【００３４】
本発明に係る詰替え容器１は、図２（２）に示したように、基材１１とシーラント層１２を少なくとも有する積層体からなる詰替え容器であって、図１、図２（１）に示したように、１枚の積層体を、シーラント層１２を内側にして折り曲げて、折り曲げ部６と本体表面積層体２と本体裏面積層体３を形成し、周縁をシールしてなる詰替え容器である。
【００３５】
折り曲げ部６は、注出ノズルシール部２４ａおよび抜き加工部シール部２５ａと共に、内容物を注ぎ出すための注出ノズル３２を形成しており、注出ノズル３２の先端は注出ノズル先端シール部２４ｂによってシールされており、開封予定線３４に沿って切り離すことにより注出口３１を形成するものであり、注出ノズル３２を形成する前記積層体には、外側に凸の、帯状または筋状の凸エンボス３５が設けられており、凸エンボス３５は、開封予定線３４の長さをＡとしたとき、開封予定線上の注出ノズルシール部２４ａから３分の２Ａの範囲にエンボスの中心線３５ｃが存在し、開封予定線３４から前記抜き加工部シール部２５ａの延長線２５ｂ上までは少なくとも連続して存在していることを特徴とする。
【００３６】
本発明に係る詰替え容器における第一の特徴は、折り曲げ部６を有することである。折り曲げ部６は、１枚の積層体をシーラント層１２を内側にして天部で折り曲げて形成したものであり、折り曲げ部６は、折り曲げ部６の下部に設けた注出ノズルシール部２４ａおよび抜き加工部シール部２５ａと共に、注出口３１に至る内容物の流出路３３を形成している。折り曲げ部６における積層体の戻ろうとする弾性の働きにより、流出路３３の断面は、常に上部が膨らんだ状態となる。このため、注出口３１の断面積を広く確保することが可能となり、一度に大量の内容物を排出することが可能となる。
【００３７】
また本発明に係る詰替え容器における第二の特徴は、注出ノズル３２を形成する前記積
層体に、外側に凸の、帯状または筋状の凸エンボス３５が設けられており、凸エンボス３５は、開封予定線３４の長さをＡとしたとき、開封予定線上の注出ノズルシール部２４ａから３分の２Ａの範囲にエンボスの中心線３５ｃが存在し、開封予定線３４から前記抜き加工部シール部２５ａの延長線２５ｂ上までは少なくとも連続して存在していることである。
【００３８】
図３に示した注出ノズル部３２の拡大図において、凸エンボス３５は、積層体に対して外側に凸状に設けられたエンボスであり、その形状は帯状または筋状とする。帯状とは、断面形状が矩形、台形、半円形、かまぼこ型等のことを指し、筋状とは断面形状が三角形となるような、線状のエンボスを指している。凸エンボス３５は、直線状でなくても連続的であればよい。
【００３９】
凸エンボス３５の位置としては、開封予定線３４の長さをＡとした場合、開封予定線上の注出ノズルシール部２４ａから３分の２Ａの範囲にエンボスの中心線３５ｃが存在するような位置が好ましいことが、実験的に明らかとなっている。この範囲内に凸エンボス３５を設けることにより、注出口３１の開口が安定的に広くなることが分かった。
【００４０】
また、凸エンボス３５の長さについては、開封予定線３４から抜き加工部シール部２５ａの延長線２５ｂ上までは少なくとも連続して存在していることが望ましい。図３に示されたように、抜き加工部シール部延長線２５ｂを大幅に超えて設けてもよい。
【００４１】
凸エンボス３５の角度については、凸エンボス３５の中心線３５ｃと折り曲げ部６の稜線７とがなす角度θが０°以上６０°以下であることがより好ましい。角度θがこの範囲にある場合には、注出口３１の開口を円滑にする効果がより高まる。
【００４２】
図１に示した実施態様においては、本体表面積層体２と本体裏面積層体３は、サイドシール部２２とボトムシール部２３においてシールされて袋状となっている。実際の容器では、内容物を充填するための充填用開口部が必要であるが図１では省略されている。図１に示された実施態様においては、ボトムシール部２３ないしはサイドシール部２２に充填用開口部を設けることができる。また折り曲げ部６の一部を切り開いて、充填用開口部とすることもできる。
【００４３】
図１に示した実施態様においては、折り曲げ部６が詰替え容器１の上部に水平に配置されているが、詰替え容器１の側面に垂直に配置されていてもよい。
【００４４】
開封予定線３４に相当する注出口シール部にＶ字型やＵ字型のノッチや切込み線を設けたり、注出口シール部の先端部を広巾に加工して開封つまみ８を設けたりすることにより、開封のし易さが向上する。
【００４５】
なお開封予定線３４は、開封位置を示す仮想的な線であるが、開封位置を明らかにするために、実際に印刷表示等を行っても良い。また、開封予定線３４は、本体表面積層体２および本体裏面積層体３の外側面に連続して設けたハーフカット線であることが好ましい。このようにすることにより、開封予定線３４の部分を手で引き裂いて注出口３１を容易に形成することが可能となる。ハーフカット線は、刃物によって形成する方法と、レーザー加工によって形成する方法が一般に用いられているが、レーザー加工による方法の方が均一で安定した切れ目を形成できるので好ましい。レーザーの種類としては、炭酸ガスレーザーがより好ましい。開封予定線３４は、折り曲げ部の稜線７に対して垂直である必要はなく、斜めでもよい。
【００４６】
本発明に係る詰替え容器に使用する積層体としては、通常軟包装袋に使用される積層体
を用いることができる。基材１１としては、１層ないしは数層からなる紙や金属箔や合成樹脂フィルムを使用する。一例を挙げれば、低密度ポリエチレン樹脂（ＬＤＰＥ）、高密度ポリエチレン樹脂（ＨＤＰＥ）、直鎖状低密度ポリエチレン樹脂（ＬＬＤＰＥ）、ポリプロピレン樹脂（ＰＰ）、ポリオレフィン系エラストマー等のポリオレフィン系樹脂、ポリエチレンテレフタレート樹脂（ＰＥＴ）、ポリブチレンテレフタレート樹脂（ＰＢＴ）、ポリエチレンナフタレート樹脂（ＰＥＮ）等のポリエステル系樹脂、セロハン、三酢酸セルロース（ＴＡＣ）等のセルロース系樹脂、ポリメチルメタアクリレート（ＰＭＭＡ）樹脂、エチレン−酢酸ビニル系共重合樹脂（ＥＶＡ）、アイオノマー樹脂、ポリブテン系樹脂、ポリアクリロニトリル系樹脂、ポリアミド系樹脂、ポリスチレン系樹脂（ＰＳ）、ポリ塩化ビニル系樹脂（ＰＶＣ）、ポリ塩化ビニリデン系樹脂（ＰＶＤＣ）、ポリカーボネート樹脂（ＰＣ）、フッ素系樹脂、ウレタン系樹脂等の合成樹脂フィルムおよび紙、金属箔等が単体または、複合して使用される。基材１１には、必要に応じて印刷層や接着剤層が含まれる。
【００４７】
紙としては、上質紙、片アート紙、コート紙、キャストコート紙、模造紙などを用いることができる。積層体に紙を用いた場合には、深いエンボス加工により紙に割れが生じることがあるので、本発明に係る詰替え容器に用いる場合は、凸エンボスおよび凹エンボスとして、筋状のエンボスを採用することにより、紙を用いた積層体を安定して使用することができる。環境配慮の点からも、紙を用いることは有効である。
【００４８】
シーラント層１２としては、ポリオレフィン系樹脂が一般的に使用され、具体的には、低密度ポリエチレン樹脂、中密度ポリエチレン樹脂、直鎖状低密度ポリエチレン樹脂、エチレン・酢酸ビニル共重合体、エチレン・αオレフィン共重合体などのエチレン系樹脂や、ホモポリプロピレン樹脂、プロピレン・エチレンランダム共重合体、プロピレン・エチレンブロック共重合体、プロピレン・αオレフィン共重合体などのポリプロピレン系樹脂などが使用される。またこれらの樹脂を複合した多層フィルムが使用されることもある。
【００４９】
積層体の具体的な構成例としては、ＰＥＴ／印刷層／接着剤層／延伸ポリアミド樹脂フィルム（以下ＯＮＹと略す）／接着剤層／ＬＬＤＰＥからなる構成のフィルムや、ＯＮＹ／接着剤層／ＬＬＤＰＥ、ＯＮＹ／接着剤層／ＯＮＹ／接着剤層／ＬＬＤＰＥ、紙／ＬＤＰＥ／アルミニウム箔／ＬＤＰＥ、紙／ＬＤＰＥなどが挙げられる。
【００５０】
図４は、本発明に係る詰替え容器の注出ノズル部の拡大図であり、凹エンボスの説明図である。凸エンボス３５と注出ノズルシール部２４ａの間に、外側に凹の、帯状または筋状の凹エンボス３６を、特定の角度をもって特定の位置に設けた場合においては、注出口３１および流出路３３の断面積をさらに大きく確保することが可能となると同時に、注出ノズル３２が折れ曲がったり、繰り返し使用する容器から外れたりすることがなくなり、詰め替え操作が容易かつ迅速で確実にできるという本発明の特徴がさらに安定したものとなる。凹エンボス３６の主な働きは、注出口３１の注出ノズルシール部２４ａ付近が広がりにくいことを改善しようとするものであるが、注出口３１の折れ曲がりを防止する効果を高める働きも持っている。
【００５１】
凹エンボス３６は、開封予定線３４上の注出ノズルシール部２４ａから３ｍｍ以内の範囲に凹エンボスの中心線３６ｃが存在し、開封予定線３４から抜き加工部シール部２５ａの延長線２５ｂ上までは少なくとも連続して存在しており、凹エンボス中心線３６ｃの角度は注出ノズルシール部に平行な角度から、折り曲げ部の稜線７に垂直な角度までの範囲内であることが好ましい。図４では、この角度の範囲をδで表してある。
【００５２】
凹エンボス３６の形状については、凸エンボス３５と同様であり、その形状は帯状または筋状とする。帯状とは、断面形状が矩形、台形、半円形、かまぼこ型等のことを指し、
筋状とは断面形状が三角形となるような、線状のエンボスを指している。凹エンボスも凸エンボスと同様、連続的であれば直線でなく曲線でもよく、注出ノズルシール部２４ａに沿った曲線でもよい。
【００５３】
図５は、本発明に係る詰替え容器の注出ノズル部の拡大図であり、凸エンボスと凹エンボスの他の実施態様を示した例である。この例では、凸エンボス３５、凹エンボス３６ともそれぞれ１本の筋状のエンボスで形成されている。本発明に係る詰替え容器においては、このような簡単なエンボス形状であっても、十分にその効果を発揮することができる。特に詰替え容器を構成する積層体として、紙を使用した場合には、紙の割れを防ぐ意味でも、このような筋状のエンボスが好ましい。
【００５４】
図６（１）〜（４）は、本発明に係る詰替え容器の注出ノズル部の実施態様の例を示した断面拡大図である。図６（１）に示した実施態様においては、断面形状が台形状の帯状の凸エンボス３５と、同じく断面形状が台形状の帯状の凹エンボス３６とが設けられている。図６（２）に示した実施態様においては、断面形状が台形状の帯状の凸エンボス３５のみが施されている。図６（３）に示した実施態様においては、断面形状が三角形状の筋状の凸エンボス３５と、同じく断面形状が三角形状の筋状の凹エンボス３６とが設けられている。また図６（４）に示した実施態様においては、断面形状がかまぼこ型の筋状の凸エンボス３５のみが施されている。
【００５５】
図７は、本発明に係る詰替え容器の他の実施態様を示した模式図である。図８（１）は、図７のＹ−Ｙ’断面を示した断面模式図であり、（２）は、容器本体を開いた状態を示した断面模式図である。
この実施態様は、基材とシーラント層を少なくとも有する１枚の積層体を、シーラント層を外側にして折り曲げて底テープ４とし、本体表面積層体２と本体裏面積層体３の間に挿入して周縁をシールしてなるスタンディングパウチ形状としたものである。このような形状の場合、内容物を充填する充填用開口部をサイドシール部に設けることができないため、折り曲げ部６の一部を切り開いて、充填用開口部４１としてある。図７に示した実施態様では、充填用開口部４１は、シールされてトップシール部２１となっている。このように、容器の天部に充填用の開口部が存在すると、内容物の充填操作がやり易くなる利点がある。
【００５６】
図８（２）に示されたように、スタンディングパウチ形状の容器は、底テープ４が広がるため、大容量の容器とすることが容易に可能である。従って、本発明に係る詰替え容器における注出時間が短くて済むという特徴を十分に生かすことができる。
【００５７】
折り曲げ部６は、１枚の積層体をシーラント層を内側にして天部で折り曲げて、形成されており、折り曲げ部６は注出口シール部２４ａおよび抜き加工部シール部２５ａと共に、注出口３１に至る内容物の流出路３３を形成している。このようにすることにより、特に内容物が液体の場合には、内容物を注出する際、内容物が直線状の流出路３３を円滑に流れるために、迅速な注出を可能とする。この特徴は、この実施態様においては、容器が大容量であるためにより一層効果的なものとなっている。
【００５８】
図９は、本発明に係る詰替え容器の他の実施態様を示した模式図である。
この実施態様においては、注出ノズル３２を形成する注出口シール部２４ａの抜き加工部２５と反対の側に、抜き加工部２５に納まる形状の把手２６を設けたことを特徴とする。注出口シール部２４ａに抜き加工部２５を形成することにより、流出路３３は、突出した注出ノズル３２として形成されることになる。抜き加工部２５の形状は、繰り返し使用する容器の口栓部周辺の構造に応じて、適当な形状を選択することができる。
【００５９】
図９に示した詰替え容器を製造するには、容器の高さに相当する巾のほぼ２倍の巾にスリットした積層体をシーラント層面を内側にして天部で折り曲げて対向させ、本体表面積層体２と本体裏面積層体３とし、これを連続的に供給し、この間にシーラント層面が外側になるように二つ折りにした底テープ４を連続的に供給し、必要なシールを行った後に、打ち抜いて容器とする。
【００６０】
抜き加工部２５は、本来廃棄される部分であるが、図９に示したように、把手２６を、隣の詰替え容器２７の抜き加工部２５に納まるような形状とすれば、特に材料の増加もなく、把手２６を付加することができる。把手２６が存在することにより、この把手２６を持って詰替え操作を行うことができるので、より安全にまた容易に詰替え操作を行うことができる。
【００６１】
またこの実施態様においては、折り曲げ部６の一部を切り開き、内容物を充填するための充填用開口部４１としている。この例では、サイドシール部２２に抜き加工部２５や把手２６が存在するために、折り曲げ部６以外に、十分な巾をもった充填用開口部を設けることが困難である。従って、充填用開口部４１の位置としては、折り曲げ部６に設けるのが好ましい。
【００６２】
図１１〜１３は、本発明に係る詰替え容器を用いた一連の詰替え操作の例を示した模式図である。図１１に示したように、本発明に係る詰替え容器１を保持し、注出ノズル３２の先端をカットして注出口３１を開く。この注出口３１に空になった繰り返し使用容器５１のノズル５２を挿入する。この図では、繰り返し使用容器５１は、ノズル５２を有するノズルキャップ５３を備えたプラスチック容器である。
【００６３】
次に図１２に示したように詰替え容器１の注出ノズル３２を繰り返し使用容器５１のノズルキャップ５３に確実に挿入した状態とする。次に図１３に示したように、繰り返し使用容器５１と詰替え容器１の位置関係を一定に保ちながら、注出ノズル３２が垂直になるように全体を引き起こすと、詰替え容器１中の内容物が一気に繰り返し使用容器５１に注入される。
【００６４】
このように、本発明に係る詰替え容器は、特別のプラスチック製の口栓等を使用せずに、大面積の注出口を確保することが可能であり、またこの注出口の大きさは、目的とする繰り返し使用容器の口栓の形状に合わせて自由に設計することができるので、迅速な詰替え操作が可能な専用詰替え容器として極めて価値の高いものである。
以下実施例に基づいて、本発明に係る詰替え容器についてさらに具体的に説明する。
【実施例１】
【００６５】
本体表面積層体および本体裏面積層体として以下の構成からなる積層体を使用した。
＜積層体の構成＞
ＰＥＴ（東レ社製Ｐ６０、１２μｍ）／印刷層／接着剤層（東洋モートン社製ＴＭ２７２、３ｇ／ｍ２（ｄｒｙ））／ＯＮＹ（ユニチカ社製ＯＮＭＢ、１５μｍ）／接着剤層（同上）／ＬＬＤＰＥ（東セロ社製ＴＵＸ−ＦＣＳ、１５０μｍ）
底テープとして以下の構成からなる積層体を使用した。
＜積層体の構成＞
ＯＮＹ（ユニチカ社製ＯＮＭ、２５μｍ）／ＬＬＤＰＥ（同上、１２０μｍ）
【００６６】
上記の積層体を用いて、図７に示した形状のスタンディングパウチを作製した。パウチサイズは、巾１５０ｍｍ、高さ２７２ｍｍとした。注出ノズル部のエンボスは、凸エンボスのみとし、凹エンボスは施さなかった。凸エンボスは、断面形状が台形で、高さ１ｍｍ、長さ４０ｍｍ、角度θを５０°とした。
充填用開口部としては、折り曲げ部の一部をカットし、充填用開口部とした。また注出ノズル先端部の注出口となるべき開封予定線をレーザー加工によるハーフカット線とした。こうして得られた詰替え容器に液体洗剤を９００ｇ充填し、充填開口部をヒートシールして評価用試験体とした。
【実施例２】
【００６７】
注出ノズル部に凸エンボスに加えて凹エンボスも施した以外は、実施例１と同様にして評価用容器を作成し、同様の内容物を充填した。凹エンボスは、断面形状が台形で、高さ１ｍｍ、長さ３０ｍｍ、角度δを３５°とした。
＜比較例１＞
【００６８】
注出ノズル部にエンボスを施さない以外は、実施例１と同様にして評価用容器を作成し、同様の内容物を充填した。
【００６９】
上記の各評価用試験体容器の注出ノズル先端を開封予定線に沿って手で切り取り、内容物の注出に要する時間を評価した。これらの実験結果を表１および図１４に示す。なお表１における注ぎ時間は、内容量の９５％の注出に要した時間である。
【００７０】
【表１】
0005573245.tif 000002
【００７１】
表１および図１４から分かるように注出ノズル部に凸エンボスを設けることによって注出時間は短縮され、さらに凹エンボスを設けた場合には、さらに短縮されることが分かる。
【符号の説明】
【００７２】
１・・・詰替え容器
２・・・本体表面積層体
３・・・本体裏面積層体
４・・・底テープ
６・・・折り曲げ部
７・・・折り曲げ部の稜線
８・・・開封つまみ
１１・・・基材
１２・・・シーラント層
２１・・・トップシール部
２２・・・サイドシール部
２３・・・ボトムシール部
２４ａ・・・注出ノズルシール部
２４ｂ・・・注出ノズル先端シール部
２５・・・抜き加工部
２５ａ・・・抜き加工部シール部
２５ｂ・・・抜き加工部シール部延長線
２６・・・把手
２７・・・隣の詰替え容器
３１・・・注出口
３２・・・注出ノズル
３３・・・流出路
３４・・・開封予定線
Ａ・・・開封予定線の長さ
３５・・・凸エンボス
３５ｃ・・・凸エンボス中心線
θ・・・凸エンボス中心線の角度
３６・・・凹エンボス
３６ｃ・・・凹エンボス中心線
δ・・・凹エンボスの角度の範囲
４１・・・充填用開口部
５１・・・繰り返し使用容器
５２・・・ノズル
５３・・・ノズルキャップ
【図１】
0005573245.tif 000003
【図２】
0005573245.tif 000004
【図３】
0005573245.tif 000005
【図４】
0005573245.tif 000006
【図５】
0005573245.tif 000007
【図６】
0005573245.tif 000008
【図７】
0005573245.tif 000009
【図８】
0005573245.tif 000010
【図９】
0005573245.tif 000011
【図１０】
0005573245.tif 000012
【図１１】
0005573245.tif 000013
【図１２】
0005573245.tif 000014
【図１３】
0005573245.tif 000015
【図１４】
0005573245.tif 000016